(57)【要約】      （修正有）【課題】持ち運ぶ際など安全であり、しかも、刃体が変形して切れ味が悪くなってしまうこともなく、更に、ビニールに形成した孔から露出する畝に有底筒状部を押し込むだけで最適な深さの種蒔き用の凹所が簡易且つ確実に得られる孔形成長具に付設するカバー体を提供する。【解決手段】田畑の畝を覆うビニールなどのフィルムに孔を形成するための刃体を筒状本体１の先端開口縁に設けた孔形成具に付設されるものであって、前記筒状本体１の先端部に被嵌する筒状の被嵌部６と、この被嵌部６の先端部に段部を介して連設され当該被嵌部６よりも径小の有底筒状部８とを有し、この有底筒状部８は前記畝に押し込まれることで該畝に種蒔き用の凹所を形成する凹所形成体として構成されている。【選択図】図２
0003163698.tif 000002
【実用新案登録請求の範囲】
【請求項１】
田畑の畝を覆うビニールなどのフィルムに孔を形成するための刃体を筒状本体の先端開口縁に設けた孔形成具に付設されるものであって、前記筒状本体の先端部に被嵌する筒状の被嵌部と、この被嵌部の先端部に段部を介して連設され当該被嵌部よりも径小の有底筒状部とを有し、この有底筒状部は前記畝に押し込まれることで該畝に種蒔き用の凹所を形成する凹所形成体として構成されていることを特徴とする孔形成具に付設するカバー体。
【請求項２】
請求項１記載の孔形成具に付設するカバー体において、前記段部は、前記被嵌部を前記筒状本体に被嵌した際、前記筒状本体の刃体を受ける刃体受け部として構成されていることを特徴とする孔形成具に付設するカバー体。
【請求項３】
請求項１，２いずれか１項に記載の孔形成具に付設するカバー体において、前記被嵌部の内周面には凸状部が設けられ、この凸状部は、前記筒状本体に前記被嵌部を被嵌した際、前記筒状本体の外周面に圧接して前記被嵌部が前記筒状本体から脱落することを防止するものであることを特徴とする孔形成具に付設するカバー体。
【請求項４】
請求項１〜３いずれか１項に記載の孔形成具に付設するカバー体において、前記被嵌部と前記有底筒状部は一体成形されていることを特徴とする孔形成具に付設するカバー体。
【考案の詳細な説明】
【技術分野】
【０００１】
本考案は、田畑の畝を覆うビニールに孔を形成するための孔形成具に付設するカバー体に関するものである。
【背景技術】
【０００２】
従来から、田畑の畝を覆うビニールに孔を形成するためのもので、例えば実用新案登録第３１２４７７３号に開示されるような孔形成具（以下、従来例）が提案されている。
【０００３】
この従来例は、後端に握持部を設けた筒状本体の先端開口縁に先鋭刃体を多数設けたもので、握持部を握持して筒状本体を畝に差し込むことで畝を覆うビニールに孔を形成することができる。
【先行技術文献】
【特許文献】
【０００４】
【特許文献１】実用新案登録第３１２４７７３号公報
【考案の概要】
【考案が解決しようとする課題】
【０００５】
ところで、この従来例は、刃体が露出している為、持ち運ぶ際など非常に危険であり、また、従来例を硬質な場所に載置した際など、その衝撃で刃が変形して切れ味が悪くなるという問題点がある。
【０００６】
また、従来例でビニールに孔を形成した後、この孔から露出する畝部分に種蒔き用の凹所を形成するが、従来においてこの凹所を形成する場合には、別途用意した瓶や缶などの底部を畝に押し付けることで凹所を形成しており、孔形成具の他にも別途これら用具を持ち歩かなければならず非常に厄介である。また、これら凹所を形成する用具が単なる円柱形状のものである為、押し込む力が強過ぎると深い凹所になってしまうなど、畝に形成される凹所の深さが安定せず、しかも、この点を気にしながらの作業となるため作業性が非常に悪い。
【０００７】
本考案者は、前述した問題点に着目し、種々の研究を繰り返し行った結果、非常に便利で従来にない作用効果を発揮する画期的な孔形成具に付設するカバー体を考案した。
【課題を解決するための手段】
【０００８】
添付図面を参照して本考案の要旨を説明する。
【０００９】
田畑の畝３を覆うビニールなどのフィルム20に孔20ａを形成するための刃体２を筒状本体１の先端開口縁に設けた孔形成具５に付設されるものであって、前記筒状本体１の先端部に被嵌する筒状の被嵌部６と、この被嵌部６の先端部に段部７を介して連設され当該被嵌部６よりも径小の有底筒状部８とを有し、この有底筒状部８は前記畝３に押し込まれることで該畝３に種蒔き用の凹所３ａを形成する凹所形成体として構成されていることを特徴とする孔形成具に付設するカバー体に係るものである。
【００１０】
また、請求項１記載の孔形成具に付設するカバー体において、前記段部７は、前記被嵌部６を前記筒状本体１に被嵌した際、前記筒状本体１の刃体２を受ける刃体受け部として構成されていることを特徴とする孔形成具に付設するカバー体に係るものである。
【００１１】
また、請求項１，２いずれか１項に記載の孔形成具に付設するカバー体において、前記被嵌部６の内周面には凸状部６ａが設けられ、この凸状部６ａは、前記筒状本体１に前記被嵌部６を被嵌した際、前記筒状本体１の外周面に圧接して前記被嵌部６が前記筒状本体１から脱落することを防止するものであることを特徴とする孔形成具に付設するカバー体に係るものである。
【００１２】
また、請求項１〜３いずれか１項に記載の孔形成具に付設するカバー体において、前記被嵌部６と前記有底筒状部８は一体成形されていることを特徴とする孔形成具に付設するカバー体に係るものである。
【考案の効果】
【００１３】
本考案は上述のように構成したから、孔形成具に付設するだけで、該孔形成具の刃体が覆われることになるから、例えば持ち運ぶ際など安全であり、しかも、刃体が変形して切れ味が悪くなってしまうこともなく、そして更に、ビニールに形成した孔から露出する畝に有底筒状部を押し込むだけで最適な深さの種蒔き用の凹所が簡易且つ確実に得られることになるなど従来にない作用効果を発揮する画期的な孔形成具に付設するカバー体となる。
【００１４】
また、請求項２記載の考案においては、前述した種まき用の凹所を形成する際に秀れた作用効果を発揮する段部が、孔形成具にカバー体を付設した際に刃体を受ける機能も発揮することになり、機能兼用により効率の良い構造であるなど従来にない作用効果を発揮する画期的な孔形成具に付設するカバー体となる。
【００１５】
また、請求項３記載の考案においては、被嵌部が筒状本体から不意に脱落したりせず、刃体が覆われた安全な状態を維持することができるなど従来にない作用効果を発揮する画期的な孔形成具に付設するカバー体となる。
【００１６】
また、請求項４記載の考案においては、簡易構造にして量産性に秀れるなど従来にない作用効果を発揮する画期的な孔形成具に付設するカバー体となる。
【図面の簡単な説明】
【００１７】
【図１】本実施例の使用状態説明図である。
【図２】本実施例を示す斜視図である。
【図３】本実施例を示す分解斜視図である。
【図４】本実施例に係る要部の説明断面図である。
【図５】本実施例に係る要部の動作説明図である。
【図６】本実施例に係る要部の動作説明図である。
【図７】種蒔き用凹所の説明断面図である。
【図８】種蒔き用凹所に種を蒔いた状態の説明断面図である。
【考案を実施するための形態】
【００１８】
好適と考える本考案の実施形態を、図面に基づいて本考案の作用を示して簡単に説明する。
【００１９】
本考案に係るカバー体の被嵌部６を孔形成具５の筒状本体１に被嵌させると、孔形成具５の刃体２は覆われた状態となり、よって、例えば持ち運ぶ際など安全であり、しかも、孔形成具５を載置した際などに刃体２が変形して切れ味が悪くなることも防止できる。
【００２０】
また、孔形成具５を用いて畝３を覆うビニールなどのフィルム20に孔20ａを形成し、この孔20ａから露出する畝３に本考案に係るカバー体を用いて種蒔き用の凹所３ａを形成できる。
【００２１】
具体的には、本考案に係るカバー体を孔形成具５から取り外し、筒状本体１を畝３に差し込んで引き抜くと、畝３を覆うフィルム20には孔20ｂが形成される。
【００２２】
このフィルム20の孔20ａから露出する畝３に種蒔き用の凹所３ａを形成する場合には、例えば本考案に係るカバー体の被嵌部６を筒状本体１に被嵌させた付設状態とし、この状態で有底筒状部８を畝３に押し込むことで該畝３に種蒔き用の凹所３ａが形成される。尚、本考案に係るカバー体を孔形成具５に付設状態とせず、被嵌部６を直接手で持つなどして有底筒状部８を畝３に押し込んで該畝３に種蒔き用の凹所３ａを形成するようにしても良い。
【００２３】
この有底筒状部８を畝３に押し込む際、有底筒状部８は被嵌部６よりも径小であるから、フィルム20の孔20ａに引っ掛けることなく露出する畝３を狙って良好に押し込ませることができる。
【００２４】
また、この有底筒状部８を畝３に押し込んだ際、有底筒状部８と被嵌部６との間の段部３が押し込みに対する抵抗となり、この際、押し込みを止めることで、畝３には有底筒状部８の高さ分の深さの種蒔き用の凹所３ａが形成される。つまり、有底筒状部８の高さを種蒔き用の凹所３ａに最適な深さとなるように設定しておけば、常に最適な深さの種蒔き用の凹所３ａが簡易且つ確実に得られることになる。
【実施例】
【００２５】
本考案の具体的な一実施例について図面に基づいて説明する。
【００２６】
本実施例は、田畑の畝３を覆うビニールなどのフィルム20に孔20ａを形成する刃体２を筒状本体１の先端開口縁に設けた孔形成具５に付設されるカバー体４である。
【００２７】
具体的には、孔形成具５は、田畑の畝３を覆うフィルム20に孔20ａを形成するためのものであって、先端開口縁に刃体２を設けた筒状本体１内に、この筒状本体１を畝３に差し込んだ際、刃体２により切断されて形成されるフィルム片20ｂに刺入係止する刺入係止体９を有するものである。
【００２８】
筒状本体１は、図２，３に図示したように適宜な金属製（ステンレス製）の板材を曲げ加工により円筒状に形成したものであり、その径は畝３を覆うフィルム20に形成する孔20ａを考慮して適宜設定されている。尚、筒状本体１は成形品でも良く、また、合成樹脂製でも良い。
【００２９】
また、筒状本体１の先端開口縁は、山部と谷部とが交互に連続する波形状（ギザギザ形状）に形成されており、各山部が先鋭の刃体２として構成されている。
【００３０】
また、筒状本体１の後端部には握持部10が設けられている。
【００３１】
この握持部10は、図２，３に図示したように筒状本体１の後端開口部１ａの対向位置同士間に後方に突出状態で架設されるコ字状の架設体10で構成されている。
【００３２】
具体的には、架設体10は、適宜な金属製（ステンレス製）の板材を折曲形成したものであり、筒状本体１の後端開口縁の対向位置に溶接され後方に突出する左右の縦材10Ａと、この縦材10Ａ同士の間に横設される横材10Ｂとで構成され、この横材10Ｂは、握持する部位として機能する他、後述する刺入係止体９を連結する部位として機能する。尚、握持部10は筒状本体１と一体成形しても良く、また、合成樹脂製でも良い。符号10ａは架設体10（縦材10Ａ及び横材10Ｂ）の表面にプレスにより突出形成される凸条からなる補強リブである。
【００３３】
刺入係止体９は、筒状本体１に着脱自在に設けられるとともに、筒状本体１の後端開口部１ａから取出し自在に設けられている。
【００３４】
具体的には、この刺入係止体９は、図３に図示したように適宜な金属製（ステンレス製）の部材で形成したものであり、所定間隔を介して並設される一対の棒状体９ａ夫々の先端部に先鋭の刺入部９ｂを設けたものである。尚、棒状体９ａの数は単数でも複数でも良いが、複数設けた方が畝３を覆うフィルム20に安定して良好に刺入される。
【００３５】
この刺入部９ｂは、正面視三角形状の板状体であり、この板状体の角が先端に位置するように底辺が棒状体９ａに連設されており、この棒状体９ａとの連設部位は該棒状体９ａの径よりも巾広に設定されて係止部９ｂ'が形成されている。
【００３６】
従って、刺入部９ｂを畝３を覆うフィルム20に刺入（貫通）させた際、棒状体９ａから抜けようとしてもフィルム片20ｂは係止部９ｂ'に係止する。
【００３７】
また、刺入係止体９（棒状体９ａ）の後端部には握持部10に着脱自在となる取付部11が設けられている。
【００３８】
具体的には、取付部11は、図２，３に図示したように適宜な金属製（ステンレス製）の板材をコ字状に折り返し形成したものであり、前述した握持部10に係る架設体10（横材10Ｂ）に対して挟持連結する構造である。
【００３９】
この取付部11は、架設体10に対して弾性作用を伴い挟持連結する構造である。即ち、架設体10に対して挟持した際の弾性作用は、取付部11の形状設定により発揮されるように構成されている。
【００４０】
また、取付部11は、握持部10に挟持連結した際、握持部10に設けた補強リブ10ａに狭小部が挟み込み係止するように構成されており、即ち、補強リブ10ａは取付部11から握持部10が不意に抜け脱するのを阻止するストッパーとしての機能も発揮される。
【００４１】
以上の構成から成る筒状本体１に対する刺入係止体９を装着する場合、握持部10を避けるようにして筒状本体１の後端開口部１ａから刺入係止体９を斜め状態で筒状本体１内に配し、握持部10に係る横材10Ｂに取付部11を側方から挟持させて連結する。尚、筒状本体１から刺入係止体９を取り外す際は逆の動作を行う。
【００４２】
カバー体４は、筒状本体１の先端部に被嵌する被嵌部６と、この被嵌部６の先端部に段部７を介して連設され当該被嵌部６よりも径小の有底筒状部８とを有するものである。
【００４３】
具体的には、カバー体４は、図２〜４に図示したように適宜な合成樹脂製の部材で成形された円筒体であり、被嵌部６と有底筒状部８とは一体成形されている。
【００４４】
被嵌部６の内孔は筒状本体１の外径より若干大きな径に設定され、被嵌部６は筒状本体１の先端部に被嵌し得るように構成されている。
【００４５】
また、被嵌部６の内周面にして等間隔の所定位置には複数の凸状部６ａが設けられ、この各凸状部６ａは、筒状本体１に被嵌部６を被嵌した際、筒状本体１の外周面に圧接する突出度合いに設定されている。つまり、この凸状部６ａは、筒状本体１に被嵌部６を被嵌した際、筒状本体１の外周面に圧接して被嵌部６が筒状本体１から脱落することを防止するものである。
【００４６】
また、被嵌部６の先端には縮径方向に段差面７ａを有する環状の段部７が形成されており、この段部７の段差面７ａは、被嵌部６を筒状本体１に被嵌した際、筒状本体１の先端開口縁に形成された刃体２を受ける刃体受け部として構成されている。
【００４７】
また、段部７には有底筒状部８が連設されている。
【００４８】
有底筒状部８は、段部７の内縁に垂設される筒部８ａと、この筒部８ａの下端開口部を閉塞する底部８ｂとで構成されている。
【００４９】
この有底筒状部８は、畝３に押し込まれることで該畝３に種蒔き用の凹所３ａを形成する凹所形成体として構成されており、この有底筒状部８の径は前述した被嵌部６よりも径小に設定されており、また、被嵌部６（段部７の外面７ｂ）からの高さは、種蒔き用の凹所３ａの深さが考慮された高さとなるように設定されている。
【００５０】
本実施例は上述のように構成したから、カバー体４の被嵌部６を孔形成具５の筒状本体１に被嵌させると、孔形成具５の刃体２は覆われた状態となる。
【００５１】
また、孔形成具５を用いて畝３を覆うフィルム20に孔20ａを形成し、この孔20ａから露出する畝３に本考案に係るカバー体を用いて種蒔き用の凹所３ａを形成できる。
【００５２】
具体的には、本考案に係るカバー体を孔形成具５から取り外し、筒状本体１を畝３に差し込んで引き抜くと、畝３を覆うフィルム20には孔20ａが形成される。
【００５３】
この筒状本体１を畝３に差し込んだ際、筒状本体１の刃体２で切断されたフィルム片20ｂには刺入係止体９が刺入され、畝３から筒状本体１を引き抜いた際には刺入係止体９にはフィルム片20ｂが係止されており（図５参照）、例えば、畝３を覆うフィルム20に連続して複数の孔20ａを形成した場合、刺入係止体９には複数のフィルム片20ｂが係止される。
【００５４】
この刺入係止体９に係止されたフィルム片20ｂを除去する場合、刺入係止体９を筒状本体１から取り外すとともに、筒状本体１の後端開口部１ａから取り出してフィルム片20ｂを除去する。
【００５５】
また、このフィルム20の孔20ａから露出する畝３に種蒔き用の凹所３ａを形成する場合には、例えばカバー体４の被嵌部６を筒状本体１に被嵌させた付設状態とし、この状態で有底筒状部８を畝３に押し込むことで該畝３に種蒔き用の凹所３ａが形成される（図６，７参照）。
【００５６】
この有底筒状部８を畝３に押し込む際、有底筒状部８は被嵌部６よりも径小であるから、フィルム20の孔20ａに引っ掛けることなく露出する畝３を狙って良好に押し込ませることができる。
【００５７】
また、この有底筒状部８を畝３に押し込んだ際、有底筒状部８と被嵌部６との間の段部３が押し込みに対する抵抗となり、この際、押し込みを止めることで、畝３には有底筒状部８の高さ分の深さの種蒔き用の凹所３ａが形成される。つまり、有底筒状部８の高さを種蒔き用の凹所３ａに最適な深さとなるように設定しておけば、常に最適な深さの種蒔き用の凹所３ａが簡易且つ確実に得られることになる。
【００５８】
その後、種蒔き用の凹所３ａに種12を蒔き、土で埋め戻す（図８参照）。
【００５９】
よって、本実施例によれば、カバー体４を孔形成具５に付設するだけで、該孔形成具５の刃体２が覆われることになるから、例えば持ち運ぶ際など安全であり、しかも、刃体２が変形して切れ味が悪くなってしまうこともなく、そして更に、フィルム20に形成した孔20ａから露出する畝３に押し込むだけで最適な深さの種蒔き用の凹所３ａが簡易且つ確実に得られることになる。
【００６０】
また、本実施例は、段部７は、被嵌部６を筒状本体１に被嵌した際、筒状本体１の刃体２を受ける刃体受け部として構成されているから、前述した種まき用の凹所３ａを形成する際に秀れた作用効果を発揮する段部７が、孔形成具５にカバー体４を付設した際に刃体２を受ける機能も発揮することになり、機能兼用により効率の良い構造となる。
【００６１】
また、本実施例は、被嵌部６の内周面には凸状部６ａが設けられ、この凸状部６ａは、筒状本体１に被嵌部６を被嵌した際、筒状本体１の外周面に圧接する突出度合いに設定されているから、筒状本体１に対する被嵌部６の被嵌状態が不意に解除されたりせず刃体２が覆われた安全な状態を維持することができる。
【００６２】
また、本実施例は、被嵌部６と有底筒状部８は一体成形されているから、簡易構造にして量産性に秀れることになる。
【００６３】
また、本実施例は、フィルム片20ｂを除去する際に筒状本体１の刃体２の近くに手を配する必要がなく安全に除去することができ、しかも、フィルム片20ｂを簡易且つ良好に除去することができて綺麗に除去できるから、例えばフィルム片20ｂの一部が残っていることで生じる刺入係止体９の刺入機能の低下も可及的に防止できることになる。
【００６４】
また、本実施例は、筒状本体１の後端部には握持部10が設けられ、この握持部10に着脱自在となる取付部11が刺入係止体９の後端部に設けられているから、筒状本体１に設けられる握持部10を持って力強く確実に刺入係止体９をフィルム片20ｂに刺入させることができる。
【００６５】
また、本実施例は、握持部10は、筒状本体１の後端開口部１ａの対向位置同士間に後方に突出状態で架設される架設体10で構成され、また、刺入係止体９の取付部11は前記握持部10に挟持連結されるものであり、具体的には、握持部10は、筒状本体１の後端開口部１ａの対向位置に設けられ後方に突出する縦材10Ａとこの縦材10Ａ間に架設される横材10Ｂとで構成され、また、刺入係止体９の取付部11は、横材10Ｂに挟持連結されるものであるから、握持部10は握り易く、しかも、筒状本体１に対する刺入係止体９の着脱が簡易且つ迅速に行え、この点においても作業性が良好となる。即ち、筒状本体１の後端開口部１ａから後方へ突出する大きな握持部10は非常に持ち易く、しかも、この握持部10を構成する架設体10は筒状本体１の後端開口部１ａの対向位置に連設される構造であり、つまり、刺入係止体９の脱着に際して、刺入係止体９及び該刺入係止体９に係止したフィルム片20ｂを通過させるための大きなスペースが確保されることになる為、筒状本体１に対する刺入係止体９の着脱が簡易且つ迅速に行えることになる。
【００６６】
また、本実施例は、取付部11は架設体10に対して弾性作用を伴い挟持連結する構造であり、しかも、この取付部11は金属製の板材を折り返し形成しただけの構造であるから、架設体10に対する取付部11の挟持状態が不意に解除されたりせず非常に使い勝手が良いことになる。
【００６７】
尚、本考案は、本実施例に限られるものではなく、各構成要件の具体的構成は適宜設計し得るものである。
【符号の説明】
【００６８】
１  筒状本体
２  刃体
３  畝
３ａ  種蒔き用の凹所
５  孔形成具
６  被嵌部
６ａ  凸状部
７  段部
８  有底筒状部
20  フィルム
20ａ  孔
【図１】
0003163698.tif 000003
【図２】
0003163698.tif 000004
【図３】
0003163698.tif 000005
【図４】
0003163698.tif 000006
【図５】
0003163698.tif 000007
【図６】
0003163698.tif 000008
【図７】
0003163698.tif 000009
【図８】
0003163698.tif 000010